(57)【要約】    【課題】      接続先の装置の特性を考慮して出力する画像信号及び音声信号の特性を調整すること。    【解決手段】  携帯型電話機１００は、外部の対象物を撮像して画像信号を生成するカメラ１０２と、音声を受けて音声信号を生成するマイクロフォン１０３と、外部に前記画像信号及び前記音声信号を送信する出力部１０７と、出力部１０７が送信した前記画像信号を外部機器が再生した画像を撮像して生成した他の画像信号と出力部１０７が送信した前記音声信号を前記外部機器が再生した音声を受けて生成した他の音声信号とに基づいて解析を行って解析結果を生成する解析部１０４と、出力部１０７が外部に送信する前記画像信号及び前記音声信号が最良な状態になるように前記解析結果に基づいて前記画像信号及び前記音声信号の特性を調整するパラメ−タ調整部１０６と、を具備する。  【選択図】      図１
2006121340.tif 000002
【特許請求の範囲】
【請求項１】
外部の対象物を撮像して画像信号を生成するカメラと、
音声を受けて音声信号を生成するマイクロフォンと、
外部に前記画像信号及び前記音声信号を送信する出力手段と、
前記出力手段が送信した前記画像信号を外部機器が再生した画像を撮像して生成した他の画像信号と前記出力手段が送信した前記音声信号を前記外部機器が再生した音声を受けて生成した他の音声信号とに基づいて解析を行って解析結果を生成する解析手段と、
前記出力手段が外部に送信する前記画像信号及び前記音声信号が最良な状態になるように前記解析結果に基づいて前記画像信号及び前記音声信号の特性を調整する調整手段と、
を具備することを特徴とする携帯型テレビ電話機。
【請求項２】
前記解析結果に基づいて前記外部機器に対して調整を行うように指示する外部機器操作信号を生成して送信する外部機器操作信号発信手段を具備することを特徴とする請求項１に記載の携帯型テレビ電話機。
【発明の詳細な説明】
【技術分野】
【０００１】
本発明は、画像信号及び音声信号を用いて通信を行う携帯型テレビ電話機に関するものである。
【背景技術】
【０００２】
従来の携帯型テレビ電話機として、図５に示すものがある。図５に示すように、携帯型テレビ電話機１０は、携帯電話機本体１１、カメラ１２及び液晶表示部１３を具備している。従来の携帯型テレビ電話機１０においては、操作者が自分の画像をカメラ１２で撮影することによりカメラ１２に画像信号を生成させ携帯電話本体１１が前記画像信号を相手のテレビ電話機に送信し、相手のテレビ電話機からの画像信号を受信して液晶表示部１３に表示することによりテレビ電話通信を行っている。
【０００３】
また、従来のテレビ電話システムとして、図６に示すものがある。図６に示すように、従来のテレビ電話システム２０は、携帯電話機２１及びテレビ２２を具備している。携帯電話機２１は、携帯電話機本体２１Ａ及びカメラ２１Ｂを有している。携帯電話機２１は、テレビ２２に信号線２３により接続されている。
【０００４】
この従来のテレビ電話システム２０においては、操作者が自分の画像をカメラ２１Ｂで撮影することによりカメラ２１Ｂに画像信号を生成させ携帯電話機本体２１Ａが前記画像信号を相手のテレビ電話機に送信し、相手のテレビ電話機からの画像信号を受信して信号線２３を介してテレビ２２に送信して表示することによりテレビ電話通信を行っている。この従来のテレビ電話システム２０においては、テレビ２２は相手のテレビ電話機からの音声信号も出力される。
【０００５】
また、テレビ電話機ではないがカメラでテレビと受聴者との距離を測定しテレビから出力する音声信号の特性を変更する方式も提案されている（特許文献１参照）。  
【特許文献１】特開２００３−３２７７６号公報
【発明の開示】
【発明が解決しようとする課題】
【０００６】
しかしながら、従来の携帯型テレビ電話機おいては、外部に画像信号及び音声信号を出力する場合に、接続先の装置によって画像信号又は音声信号の特性が変わったとしてもそれを調整する手段がないという問題がある。
【０００７】
本発明は、かかる点に鑑みてなされたものであり、接続先の装置の特性を考慮して出力する画像信号及び音声信号の特性を調整することができる携帯型テレビ電話機を提供することを目的とする。
【課題を解決するための手段】
【０００８】
本発明は、外部の対象物を撮像して画像信号を生成するカメラと、音声を受けて音声信号を生成するマイクロフォンと、外部に前記画像信号及び前記音声信号を送信する出力手段と、前記出力手段が送信した前記画像信号を外部機器が再生した画像を撮像して生成した他の画像信号と前記出力手段が送信した前記音声信号を前記外部機器が再生した音声を受けて生成した他の音声信号とに基づいて解析を行って解析結果を生成する解析手段と、前記出力手段が外部に送信する前記画像信号及び前記音声信号が最良な状態になるように前記解析結果に基づいて前記画像信号及び前記音声信号の特性を調整する調整手段と、を具備する構成を採る。
【発明の効果】
【０００９】
本発明によれば、出力手段が送信した画像信号を外部機器が再生した画像を撮像して生成した他の画像信号と前記出力手段が送信した音声信号を前記外部機器が再生した音声を受けて生成した他の音声信号とに基づいて解析を行って解析結果を生成し、かつ、前記出力手段が外部に送信する前記画像信号及び前記音声信号が最良な状態になるように前記解析結果に基づいて前記画像信号及び前記音声信号の特性を調整するため、接続先の装置の特性を考慮して出力する画像信号及び音声信号の特性を調整することができる。
【発明を実施するための最良の形態】
【００１０】
次に、本発明の実施の形態について、図面を参照して詳細に説明する。
【００１１】
（実施の形態１）
図１は、本発明の実施の形態１に係る携帯型テレビ電話機の構成を示すブロック図である。図１に示すように、本発明の実施の形態１に係る携帯型テレビ電話機１００は、テレビ電話部１０１、カメラ１０２、マイクロフォン１０３、解析部１０４、操作部１０５、パラメータ調整部１０６及び出力部１０７を具備している。
【００１２】
テレビ電話部１０１は、テレビ電話通信を行うものである。カメラ１０２は、外部の対象物を撮像して画像信号を生成する。マイクロフォン１０３は、外部の音声を受けて音声信号を生成する。解析部１０４は、カメラ１０２及びマイクロフォン１０３からの画像信号及び音声信号に基づいて解析して解析結果を生成する。操作部１０５は、解析部１０４に対して解析を行う指示を生成して解析部１０４に与えるためのものである。パラメータ調整部１０６は、解析部１０４からの解析結果を受けて外部へ出力する画像信号及び音声信号の特性の調整を行う。出力部１０７は、外部に画像信号及び音声信号を出力する。
【００１３】
図２は、本発明の実施の形態１に係る携帯型テレビ電話機１００を具備するテレビ電話システムの構成を示す斜視図である。
【００１４】
本発明の実施の形態１に係るテレビ電話システム２００は、携帯型テレビ電話機１００と、テレビ２１０と、携帯型テレビ電話機１００とテレビ２１０とを接続する接続ケーブル２２０と、を具備している。
【００１５】
次に、本発明の実施の形態１に係るテレビ電話システム２００の動作について、図１と共に図２を参照して詳細に説明する。
【００１６】
まず、テレビ電話部１０１は、通話相手のテレビ電話機との呼接続を確立し、テレビ電話通信を行えるようにする。次に、テレビ電話部１０１は、音声信号及び画像信号を含むテレビ電話信号Ｓ１０１をパラメータ調整部１０６に送信する。パラメータ調整部１０６は、テレビ電話信号Ｓ１０１を調整テレビ電話信号Ｓ１０２として出力部１０７に送信する。この時点では、パラメータ調整部１０６は、テレビ電話信号Ｓ１０１を調整しないでそのまま調整テレビ電話信号Ｓ１０２として送信する。
【００１７】
出力部１０７は、調整テレビ電話信号Ｓ１０２を外部機器、例えば、家庭用テレビに入力できるような信号に変換し外部出力信号Ｓ１０３として外部機器に向けて出力する。図２に外部機器との接続例が示されている。図２は、本発明の携帯型テレビ電話機１００と外部機器であるテレビ２１０との接続例を示している。
【００１８】
出力部１０７は、外部出力信号Ｓ１０３を接続ケーブル２２０を介してテレビ２１０に送信する。テレビ２１０は、外部出力信号Ｓ１０３から画像の表示及び音声信号の再生を行う。
【００１９】
画像の調整を行いたい場合に、まず、操作者は、カメラ１０２をテレビ２１０に向けてテレビ２１０の表示部２１１を撮像できるようにし、次に操作部１０５を操作し画像調整を行うよう指示する。操作部１０５は、例えば、操作者が押しボタンなどで操作するものである。操作部１０５は、操作されるとトリガ信号Ｓ１０６を解析部１０４に与える。
【００２０】
解析部１０４は、トリガ信号Ｓ１０６を受信した場合に、カメラ１０２からの解析用の画像信号Ｓ１０４を内部に取り込んで画像の解析を行う。画像の解析を行う内容としては、画面の明るさ及び色合いなどがある。
【００２１】
解析部１０４は、画像を解析した解析結果を基に画像をどのように調整すべきかを指示するパラメータ調整指示信号Ｓ１０７をパラメータ調整部１０６に送信する。このパラメータ調整信号Ｓ１０７は、例えば、もっと明るく表示する、また、もっと赤色を強調するなどの画像調整のための情報である。パラメータ調整部１０６は、パラメータ調整信号Ｓ１０７を基にテレビ電話信号Ｓ１０１の調整を行って調整テレビ電話信号Ｓ１０２として出力部１０７に与える。出力部１０７は、パラメータ調整部１０６からの調整テレビ電話信号Ｓ１０２に基づいて外部に画像信号及び音声信号である外部出力信号Ｓ１０３を出力する。
【００２２】
また、本発明の実施の形態１においては、カメラ１０２がテレビ２１０のスピーカ部２１２を撮像してスピーカ撮像信号を生成して解析部１０４に与え、解析部１０４が前記スピーカ撮像信号に基づいてスピーカ部２１２のスピーカの形状及び個数を解析し、外部に出力する音声信号の特性を調整してもよい。
【００２３】
また、本発明の実施の形態１においては、カメラ１０２がテレビ２１０を撮像してテレビ撮像信号を生成して解析部１０４に与え、解析部１０４がテレビ撮像信号に基づいてカメラ１０２からテレビ２１０までの距離を解析し距離解析結果を生成し、この距離解析結果に基づいて外部に出力する音声信号の特性を調整してもよい。音声信号の特性の調整として、例えば、携帯型テレビ電話機１００とテレビ２１０との距離が離れている場合に、操作者が聞きやすいように音量を大きくするなどが考えられる。
【００２４】
また、外部に出力する音声信号の特性を調整する場合に、解析部１０４は、先に挙げたカメラ１０２からの情報のみでなく、例えば、マイクロフォン１０３からの音声信号Ｓ１０５も含めて解析して調整してもよい。なお、外部に出力する音声信号の特性を調整する場合に、マイクロフォン１０３からの音声信号Ｓ１０５のみに基づいて解析して調整してもよい。
【００２５】
また、画像信号及び音響信号調整のため、操作部１０５を操作している最中には、携帯型テレビ電話機１００は、外部出力信号Ｓ１０３を基準的な信号に置き換えて出力して調整を行ってもよい。この場合の基準的信号とは、例えば、画像信号であればカラーバーであり、音響信号であればサイン波である。
【００２６】
このように、本発明の実施の形態１に係る携帯型テレビ電話機１００によれば、カメラ１０２から入力される画像信号を基に外部へ出力する画像信号及び音声信号をどのように調整すべきかを解析する解析部１０４と実際に調整を行うパラメータ調整部１０６とを有するため、外部機器に画像信号及び音声信号を出力した場合でも最良の画像信号及び音声信号でテレビ電話が行える。
【００２７】
（実施の形態２）
次に、本発明の実施の形態２について、図面を参照して詳細に説明する。
【００２８】
図３は、本発明の実施の形態２に係る携帯型テレビ電話機の構成を示すブロック図である。本発明の実施の形態２においては、本発明の実施の形態１と同じ構成要素には同じ参照符号が付されてその説明が省略される。
【００２９】
図３に示すように、本発明の実施の形態２に係る携帯型テレビ電話機３００は、本発明の実施の形態１に係る携帯型テレビ電話機１００において、外部機器操作信号発信部３０１を追加してなる。
【００３０】
図４に示すように、本発明の実施の形態２に係るテレビ電話システム４００は、携帯型テレビ電話機３００と、テレビ２１０と、携帯型テレビ電話機３００とテレビ２１０とを接続する接続ケーブル２２０と、を具備している。
【００３１】
次に、本発明の実施の形態１に係るテレビ電話システム４００の動作について、図３と共に図４を参照して詳細に説明する。
【００３２】
まず、テレビ電話部１０１は、通話相手のテレビ電話機との呼接続を確立し、テレビ電話通信を行えるようにする。次に、テレビ電話部１０１は、音声信号及び画像信号を含むテレビ電話信号Ｓ１０１をパラメータ調整部１０６に送信する。パラメータ調整部１０６は、テレビ電話信号Ｓ１０１を調整テレビ電話信号Ｓ１０２として出力部１０７に送信する。この時点では、パラメータ調整部１０６は、テレビ電話信号Ｓ１０１を調整しないでそのまま調整テレビ電話信号Ｓ１０２として送信する。
【００３３】
出力部１０７は、調整テレビ電話信号Ｓ１０２を外部機器、例えば、家庭用テレビに入力できるような信号に変換し外部出力信号Ｓ１０３として外部機器に向けて出力する。図４は、本発明の携帯型テレビ電話機３００と外部機器であるテレビ２１０との接続例を示している。
【００３４】
出力部１０７は、外部出力信号Ｓ１０３を接続ケーブル２２０を介してテレビ２１０に送信する。テレビ２１０は、外部出力信号Ｓ１０３から画像の表示及び音声信号の再生を行う。
【００３５】
画像の調整を行いたい場合に、まず、操作者は、カメラ１０２をテレビ２１０に向けてテレビ２１０の表示部２１１を撮像できるようにし、次に操作部１０５を操作し画像調整を行うよう指示する。操作部１０５は、例えば、操作者が押しボタンなどで操作するものである。操作部１０５は、操作されるとトリガ信号Ｓ１０６を解析部１０４に与える。
【００３６】
解析部１０４は、トリガ信号Ｓ１０６を受信した場合に、カメラ１０２からの解析用の画像信号Ｓ１０４を内部に取り込んで画像の解析を行う。画像の解析を行う内容としては、画面の明るさ及び色合いなどがある。
【００３７】
解析部１０４は、画像を解析した解析結果を基に画像をどのように調整すべきかを指示するパラメータ調整指示信号Ｓ１０７をパラメータ調整部１０６に送信する。このパラメータ調整信号Ｓ１０７は、例えば、もっと明るく表示する、また、もっと赤色を強調するなどの画像調整のための情報である。パラメータ調整部１０６は、パラメータ調整信号Ｓ１０７を基にテレビ電話信号Ｓ１０１の調整を行って調整テレビ電話信号Ｓ１０２として出力部１０７に与える。出力部１０７は、パラメータ調整部１０６からの調整テレビ電話信号Ｓ１０２に基づいて外部に画像信号及び音声信号である外部出力信号Ｓ１０３を出力する。
【００３８】
また、本発明の実施の形態２においては、カメラ１０２がテレビ２１０のスピーカ部２１２を撮像してスピーカ撮像信号を生成して解析部１０４に与え、解析部１０４が前記スピーカ撮像信号に基づいてスピーカ部２１２のスピーカの形状及び個数を解析し、外部に出力する音声信号の特性を調整してもよい。
【００３９】
また、本発明の実施の形態２においては、カメラ１０２がテレビ２１０を撮像してテレビ撮像信号を生成して解析部１０４に与え、解析部１０４がテレビ撮像信号に基づいてカメラ１０２からテレビ２１０までの距離を解析し距離解析結果を生成し、この距離解析結果に基づいて外部に出力する音声信号の特性を調整してもよい。音声信号の特性の調整として、例えば、携帯型テレビ電話機３００とテレビ２１０との距離が離れている場合に、操作者が聞きやすいように音量を大きくするなどが考えられる。
【００４０】
また、外部に出力する音声信号の特性を調整する場合に、解析部１０４は、先に挙げたカメラ１０２からの情報のみでなく、例えば、マイクロフォン１０３からの音声信号も含めて解析して調整してもよい。なお、外部に出力する音声信号の特性を調整する場合に、マイクロフォン１０３からの音声信号Ｓ１０５のみに基づいて解析して調整してもよい。
【００４１】
また、画像信号及び音響信号調整のため、操作部１０５を操作している最中には、携帯型テレビ電話機３００は、外部出力信号を基準的な信号に置き換えて出力して調整を行ってもよい。この場合の基準的信号とは、例えば、画像信号であればカラーバーであり、音響信号であればサイン波である。
【００４２】
本発明の実施の形態２においては、さらに解析部１０４は画像を解析した結果を基に画像をどのように調整すべきかを指示するパラメータ調整指示信号Ｓ１０７を外部機器操作信号発信部３０１に送信する。
【００４３】
このパラメータ調整信号Ｓ１０７は、例えば、もっと明るく表示せよとの画像調整のための情報、又は、もっと赤色を強調せよとの画像調整のための情報である。外部機器操作信号発信部３０１は、パラメータ調整指示信号Ｓ１０７を基に外部機器に対して各種調整を行うよう指示する外部機器制御信号Ｓ３０１を送信する。外部機器制御信号Ｓ３０１の情報としては、例えば画面の明るさ及び音量などの情報がある。また、外部機器制御信号Ｓ３０１は、例えば、通常のテレビのリモコン装置などに用いられる赤外線を利用して送信される。
【００４４】
また、外部機器制御信号Ｓ３０１は、例えば、携帯型テレビ電話機３００で着信した場合に接続したテレビ２１０の電源を入れる指示をし、又は、テレビ２１０のチャンネルの切り替えを行う指示をするものでもよい。
【産業上の利用可能性】
【００４５】
本発明は、接続先の装置の特性を考慮して出力する画像信号及び音声信号の特性を調整することができる効果を有し、携帯型テレビ電話機及びテレビ電話システムに有用である。
【図面の簡単な説明】
【００４６】
【図１】本発明の実施の形態１に係る携帯型テレビ電話機の構成を示すブロック図
【図２】本発明の実施の形態１に係る携帯型テレビ電話機を具備するテレビ電話システムの構成を示す斜視図
【図３】本発明の実施の形態２に係る携帯型テレビ電話機の構成を示すブロック図
【図４】本発明の実施の形態２に係る携帯型テレビ電話機を具備するテレビ電話システムの構成を示す斜視図
【図５】従来の携帯型テレビ電話機の構成を示す斜視図
【図６】従来の携帯型テレビ電話機を具備するテレビ電話システムの構成を示す斜視図
【符号の説明】
【００４７】
１００、３００  携帯型テレビ電話機
１０１  テレビ電話部
１０２  カメラ
１０３  マイクロフォン
１０４  解析部
１０５  操作部
１０６  パラメータ調整部
１０７  出力部
２００、４００  テレビ電話システム
３０１  外部機器操作信号発信部
【図１】
2006121340.tif 000003
【図２】
2006121340.tif 000004
【図３】
2006121340.tif 000005
【図４】
2006121340.tif 000006
【図５】
2006121340.tif 000007
【図６】
2006121340.tif 000008